(57)【要約】【課題】  座席の汚れを防止しようとするものである。【解決手段】  表布地部２の上端に連接して折り返す折返し布地部３を表布地部２と重ね合わせて左側糸目５Ｌ及び右側糸目５Ｒによって接合することにより袋形成部４を形成し、その袋形成部４を座席の頭部に被せると共に、表布地部２を座席の背もたれ部ないし座席本体部１６を覆うように装着することにより、座席に対する汚れを有効に防止することができる。【選択図】        図１
2005253668.tif 000002
【特許請求の範囲】
【請求項１】
長方形状の汚れ不浸透性の不織布でなる材料布地でなる、縦長の表布地部及び当該表布地部の裏面に重なり合う折返し布地部とを有し、
重なり合う上記表布地部及び上記折返し布地部の上縁並びに左及び右側縁を接合することにより袋形成部を形成し、
上記折返し布地部の先端縁及び当該先端縁と対向する上記表布地部間に形成される開口を拡げて上記袋形成部を座席の頭部に被せると共に、上記袋形成部と連接する上記表布地部によって上記座席の背もたれ部ないし座席本体部を覆うことにより、上記座席に対する汚れを防止する
ことを特徴とする座席カバーシート。
【請求項２】
上記材料布地はポリプロピレンを原料とした不織布で構成される
ことを特徴とする請求項１に記載の座席カバーシート。
【請求項３】
上記袋形成部は、上記座席の頭部に取り付けられたシートベルトを上記袋形成部の表面側に引き出すシートベルト挿通孔を有する
ことを特徴とする請求項１に記載の座席カバーシート。
【請求項４】
上記表布地部は、上記座席の座席本体部に取り付けられたシートベルト用ソケットを上記表布地部の表面側に引き出すシートベルト用ソケット挿通孔を有する
ことを特徴とする請求項１に記載の座席カバーシート。
【発明の詳細な説明】
【技術分野】
【０００１】
本発明は座席カバーシートに関し、特に使用前の座席を不用意に汚さないようにしようとするものである。
【背景技術】
【０００２】
従来新車や中古車の取扱い業者が顧客に納品するまでの間に、取り扱う自動車を預かったり、移動させたり、納品したりする時、当該自動車の車内に入って運転操作する必要があり、その際に自動車の座席を不用意に汚すおそれがある。
【０００３】
また、自動車の修理工場においては、修理作業の都合上、車のドアを開けて本来修理対象ではない座席に触れたり、当該車を移動させるために運転席に座ったりする必要があり、その際に不用意に座席を汚す（例えば作業員に付着していたペンキが座席に付いたりする）おそれがある。
【発明の開示】
【発明が解決しようとする課題】
【０００４】
このように、座席を不用意に汚さないようにするための一般的な予防手段として、風呂敷状のビニールシートを座席に被せることが行われていた。
【０００５】
しかしながら、自動車の座席の構造が車種によって一様ではないためにビニールを被せたり、はずしたりする面倒な手間がかかる。
【０００６】
また、ビニールシート上に座ると破れたり、しわになったりする。さらに、ビニールシートを被せたまま自動車を顧客に引き渡したりするには外観上も不向きである。
【０００７】
そこで、自動車の座席の構造に適合させることにより、十分な汚れ防止機能をもつ簡便な構造の座席用シートを使用できるようにすることが望ましい。
【０００８】
本発明は以上の点を考慮してなされたもので、座席への汚れ防止効果が大きく、かつ取り扱いが簡便な座席カバーシートを提案しようとするものである。
【課題を解決するための手段】
【０００９】
かかる課題を解決するため本発明においては、長方形状の汚れ不浸透性の不織布でなる材料布地の上端部を裏側に折り返すことにより、縦長の表布地部２（２Ｙ）と当該表布地部の上端に連接して裏面に重なり合うように折り返される折返し布地部３（３Ｙ）とを形成し、重なり合う表布地部２（２Ｙ）及び折返し布地部３（３Ｙ）の左及び右側縁を接合手段によって接合することにより袋形成部４（４Ｙ）を形成し、折返し布地部３（３Ｙ）の先端縁及び当該先端縁と対向する表布地部２（２Ｙ）間に形成される開口７（７Ｙ）を拡げて袋形成部４（４Ｙ）を座席の頭部に被せると共に、袋形成部４（４Ｙ）と連接する表布地部２（２Ｙ）によって座席１３の背もたれ部１４ないし座席本体部１６を覆うことにより、座席１３に対する汚れを防止する。
【発明の効果】
【００１０】
不織布でなる材料布地の座席カバーシートを、その袋形成部を座席の頭部に被せて、袋形成部と連接する表布地部を背もたれ部ないし座席本体部を覆うようにしたことにより、簡便な作業によって座席に対する汚れを有効に防止し得る座席カバーシートを実現できる。
【発明を実施するための最良の形態】
【００１１】
以下図面について、本発明の一実施の形態を詳述する。
【００１２】
（１）第１の実施の形態
図１及び図２において、１は全体として１人掛座席用の座席カバーシート（シートクロスとも呼ぶ）を示し、表側から見て（図１）、幅Ｗ（＝820 〔mm〕）、長さＬ１（＝1360〔mm〕）の表布地部２を有し、この表布地部２の上端部は裏側に折り返されて折返し布地部３（幅Ｗ（＝820 〔mm〕）、長さＬ２（＝280 〔mm〕））に連接している（図２）。
【００１３】
表布地部２とこれに重ね合された折返し布地部３の左及び右側端部は、接合手段としての左側縫目５Ｌ及び右側縫目５Ｒによって縫い付け接合されており、これを接合手段として折返し布地部３の下端縁６と表布地部２との間に開口７を有する袋形成部４が形成されている。
【００１４】
表布地部２及び折返し布地部３は、ポリプロピレンを原料とした長方形状の連続長繊維不織布でなり、例えば、目付が70〔ｇ／ｍ２〕、厚さが0.45〔mm〕で、比較的腰があり、手触りが柔らかい、軽い布地によって構成されている。
【００１５】
このように、表布地部２及び折返し布地部３は、ポリプロピレン繊維の不織布で構成されていることにより、繊維の強度は強く、酸やアルカリにも強く、保温性に富み、水分を吸収せず、染料も汚れもつきにくい、特性を呈する。
【００１６】
ここで、表布地部２の左及び右側縁部には、左及び右側かがり糸目８Ｌ及び８Ｒが縫い付けられていると共に、表布地部２の下端縁が下側かがり糸目８Ｄによって縫い付けられ、また、折返し布地部３の下端縁６が開口かがり糸目８Ｕによって縫い付けられている。
【００１７】
かくして表布地部２及び折返し布地部３は全体として端縁がほつれないように処理されており、この結果座席カバーシート１の汚れ防止機能を確実に得ることができることへの信頼性を高めるようになされている。
【００１８】
以上の構成において、座席カバーシート１は、図３に示すように、自動車の床１１に対して取付台１２によって取り付けられた座席１３に対して、その背もたれ部１４の頭部１５（座った人が頭を当てるいわゆるヘッドレスト部）に、折返し布地部３の先端縁及び当該先端縁と対向する表布地部２間に形成される開口７を拡げて、袋形成部４を被せることにより、表布地部２と折返し布地部３との間に頭部１５を挟み込むことにより座席カバーシート１を頭部１５に装着すると共に、当該袋形成部４から下前方に延長する表布地部２によって背もたれ部１４とその下端部から前方に延長する座席本体部１６とを覆い隠す。
【００１９】
ここで、座席カバーシート１の表布地部２及び折返し布地部３の横幅Ｗは、開口７を拡げたとき、袋形成部４を形成する表布地部２及び折返し布地部３が前後引き離されることにより、１人掛用の座席１３の頭部１５の幅及び厚みを余裕をもって収容できる程度の大きさに選定されており、これにより座席カバーシート１のユーザは、単に開口７を開いて座席１３の頭部１５に被せるだけの作業をするだけで、座席カバーシート１を座席１３の背もたれ部１４及び座席本体部１６の横幅を十分に覆い隠すような状態に装着することができると共に、座席カバーシート１が腰がある、柔らかい手触りの特性をもっていることにより、背もたれ部１４及び座席本体部１６から不用意にずれたり、しわになったりするようなおそれも生じない。
【００２０】
また、表布地部２の長さＬ１は、表布地部２の下端縁が床１１に届く直前の大きさに選定されており、これにより座席カバーシート１が座席本体部１６の前端部分を十分に覆い隠す。
【００２１】
因に、座席カバーシート１は、ポリプロピレンを原料とする不織布で構成されていることにより、汚れを含む水分は吸収しない特性（これを汚れ不浸透性と呼ぶ）を呈すると共に破れ難い特性をもっていることにより、たとえ、座席カバーシート１に汚れを含む水分（例えばペット類の排泄物や、人の嘔吐物など）や、ペンキなどの汚れがついたとしても、当該汚れは座席カバーシート１を透過することがないので、座席１３の頭部１５、背もたれ部１４及び座席本体部１６の汚れを有効に防止できる。
【００２２】
かくして、座席カバーシート１を座席１３に一旦装着すれば、これを取り外すまでの間、座席１３に対する汚れが付着するおそれを座席カバーシート１が有効に防止できる。
【００２３】
また、しわになり難い布地を用いていることにより、例えば商品に関する情報（例えば商標、コピー文など）を表面に印刷しておけば、顧客に高級な印象を与えることができる。
【００２４】
座席カバーシート１が座席１３に装着されている状態からこれを取り外す際には、座席カバーシート１の袋形成部４を座席１３の頭部１５から上方に引き抜けば良く、かくして簡便に座席カバーシート１を取り外すことができる。
【００２５】
（２）第２の実施の形態
図４は第２の実施の形態を示すもので、図１との対応部分に同一符号を付して示すように、表布地部２の上端部に形成した袋形成部４と同様の構成の第２の袋形成部４Ｘを表布地部２の下端部に形成する。
【００２６】
第２の袋形成部４Ｘは、表布地部２の下端から裏側に折り返して連接する折返し布地部３Ｘを有し、互いに重ね合せられた表布地部２の下端部及び折返し布地部３Ｘの左及び右側縁部が左及び右側縫目５ＬＸ及び５ＲＸによって互いに縫い付けられている。
【００２７】
かくして、図１及び図２について上述したと同様の効果を得ることができることに加えて、表布地部２の上端部に開口７を有する袋形成部４が形成されると共に、下端部にも、対称的に、開口７Ｘを有する袋形成部４Ｘが形成されることにより、ユーザが座席カバーシート２１を座席に装着するとき、開口７又は７Ｘのいずれを座席１３の頭部１５に掛けても良いことにより、座席カバーシート２１の方向を特に気にすることがない分、一段と簡便に座席カバーシート２１の装着処理ができる。
【００２８】
（３）第３の実施の形態
図５（Ａ）〜（Ｃ）は、第３の実施の形態を示すもので、図１との対応部分に同一符号を付して示すように、座席１３に設けられているシートベルトを挿通するためのシートベルト挿通孔が設けられている。
【００２９】
図５（Ａ）の場合、袋形成部４の左側端部において左側縫目５Ｌの内側の位置に、袋形成部４を構成している表布地部２ないし折返し布地部３の厚みを横切るようにシートベルト挿通孔２５Ａが設けられている。
【００３０】
図５（Ａ）の座席カバーシート１において、ユーザは座席１３の頭部１５の左側端にシートベルトが設けられている場合に、座席カバーシート１の袋形成部４を座席１３の頭部１５に被せる際に、座席のシートベルトをシートベルト挿通孔２５Ａを通して表側に引き出して座席カバーシート１を座席１３の背もたれ部１４及び座席本体部１６に被せる。
【００３１】
図５（Ａ）の座席カバーシート１によれば、図１及び図２について上述したと同様の効果を得ることができることに加えて、例えば運転席の１人掛用の座席１３に座席カバーシート１を被せた状態で、ユーザが座席１３に座ると共に、シートベルト挿通孔２５Ａから引き出したシートベルトを着用できることにより、当該自動車の運転をすることができる。
【００３２】
図５（Ｂ）の場合は、袋形成部４の右側上端部において、右側縫目５Ｒの内側の位置にシートベルト挿通孔２５Ｂが設けられている。
【００３３】
図５（Ｂ）の座席カバーシート１によれば、図１及び図２について上述したと同様の効果を得ることができることに加えて、座席１３の頭部１５の右側端部にシートベルトが取り付けられている場合に、ユーザが当該シートベルト挿通孔２５Ｂを通して表面側に引き出しておくことにより、座席カバーシート１を掛けた座席１３にユーザが座ってシートベルトを着用できる。
【００３４】
図５（Ｃ）の場合は、座席カバーシート１の袋形成部４の左及び右上端部において、それぞれシートベルト挿通孔２５Ａ及び２５Ｂが設けられている。
【００３５】
図５（Ｃ）の座席カバーシート１によれば、図１及び図２について上述したと同様の効果を得ることができることに加えて、座席１３の頭部１５の左端部又は右端部のいずれにシートベルトが設けられている場合であっても、ユーザが袋形成部４を座席１３の頭部１５に被せるとき、左側又は右側のシートベルトをシートベルト挿通孔２５Ａ又は２５Ｂから前方に引き出して座席カバーシート１を座席１３に被せることができることにより、座席カバーシート１の装着作業を一段と簡便化することができる。
【００３６】
（４）第４の実施の形態
図６は第４の実施の形態を示すもので、図４との対応部分に同一符号を付して示すように、図４の座席カバーシート２１の袋形成部４並びに４Ｘの左及び右上端部並びに左及び右下端部に、それぞれ、シートベルト挿通孔２６Ａ及び２６Ｂ並びに２６Ｃ及び２６Ｄが設けられている。
【００３７】
図６の座席カバーシート２１は、対称的に設けられている袋形成部４及び４Ｘのいずれをユーザが座席１３の頭部１５に被せても、座席１３に対して座席カバーシート２１を装着することができるが、このとき座席１３の頭部１５を左端部又は右端部のいずれにシートベルトが設けられている場合にも、ユーザが当該シートベルトをシートベルト挿通孔２６Ａ、又は２６Ｂ、又は２６Ｃ、又は２６Ｄを通して前方に引き出すことができる。
【００３８】
かくして図６の構成によれば、図４について上述したと同様の効果を得ることができることに加えて、左側又は右側の何れにシートベルトが設けられている座席であっても、ユーザが座席カバーシート２１の上下の向きや、シートベルト取り付け位置の左右を、それ程気にせずに、座席カバーシート２１を簡便に座席に装着することができる。
【００３９】
（５）第５の実施の形態
図７及び図８は、第５の実施の形態を示すもので、図１及び図２の対応部分の符号に添付符号Ｙを付して示すように、例えば自動車の後部座席のような複数人掛座席用の座席カバーシート１Ｙとして用いられる。
【００４０】
この場合、表布地部２Ｙ及び折返し布地部３Ｙの長さＬ１Ｙ及びＬ２Ｙは図１及び図２の１人掛座席用の座席カバーシート１と同様の長さをもつのに対して、幅ＷＹは図１及び図２の場合の幅Ｗのほぼ２倍の長さをもつ。
【００４１】
図７及び図８の構成によれば、図１及び図２について上述したと同様の効果を得ることができることに加えて、ユーザが座席カバーシート１Ｙを複数人掛（例えば２人掛）座席に装着すれば、袋形成部４Ｙを座席の頭部に被せて表布地部２Ｙの後部座席の背もたれ部及び座席本体部を覆うように位置決めするだけの簡易な操作によって、例えば修理工場における修理作業の際に後部座席を汚すおそれを確実に防止できる。
【００４２】
（６）第６の実施の形態
図９（Ａ）〜（Ｅ）は、第６の実施の形態を示すもので、図７との対応部分に同一符号を付して示すように、複数人掛（例えば２人掛）座席について、座席カバーシート１Ｙを装着した状態で当該座席を使用できるようにしたものである。
【００４３】
図９（Ａ）の場合、座席カバーシート１Ｙの袋形成部４Ｙの上方左部及び右部には、袋形成部４Ｙの厚みを貫通するようにシートベルト挿通孔２５ＡＹ及び２５ＢＹが形成され、これによりユーザが袋形成部４Ｙを座席の頭部に被せる作業をするとき、当該シートベルトをシートベルト挿通孔２５ＡＹ及び２５ＢＹを通して前方に引き出すような処理をすることにより、座席カバーシート１Ｙを複数人掛座席に装着できる。
【００４４】
かくして、図９（Ａ）の構成によれば、図７について上述したと同様の効果を得ることができることに加えて当該座席カバーシート１Ｙを装着した状態で、複数人掛座席に設けられているシートベルトを使用できることにより、自動車が走行中に、例えば犬などのペットを後部座席に乗せて走行するような場合に、ペットが座席を汚すおそれを有効に防止できる。
【００４５】
図９（Ｂ）の場合、図７の構成に加えて、表布地部２Ｙの幅方向のほぼ中央位置において、袋形成部４Ｙの上端からＬ３Ｙ（＝650 〔mm〕）の位置に、長さＬ４Ｙ（＝120 〔mm〕）かつ横幅Ｌ５Ｙ（＝120 〔mm〕）のシートベルト用ソケット挿通孔２６を表布地部２Ｙの厚さを貫通するように形成する。
【００４６】
図９（Ｂ）の座席カバーシート１Ｙにおいて、座席カバーシート１Ｙの袋形成部４Ｙを複数人掛座席の頭部に被せた状態で、シートベルト用ソケット挿通孔２６を介してシートベルトソケットを表側に引き出すことができる。
【００４７】
従って複数人掛座席の左側又は右側にある車体のフレームに取り付けられたシートベルトを、シートベルト用ソケット挿通孔２６から引き出したシートベルト用ソケットに係合させれば、座席カバーシート１Ｙを装着した複数人掛座席に人が座った状態で自動車を走行させることができ、かくして、当該複数人掛座席（後部座席）にペットを乗せて車を走行させることができる。
【００４８】
かくして、図９（Ｂ）の構成によれば、図７について上述したと同様の効果を得ることができることに加えて座席カバーシート１Ｙによって、複数人掛座席に対するペットによる汚れを有効に防止できる。
【００４９】
図９（Ｃ）の場合は、図９（Ｂ）のシートベルト用ソケット挿通孔２６を左及び右分割ソケット挿通孔２６Ａ及び２６Ｂに分割し、これにより左側及び右側分割ソケット挿通孔２６Ａ及び２６Ｂを通して左側及び右側シートベルト用ソケットを表面側に引き出すようになされている。
【００５０】
かくして、図９（Ｃ）の構成によれば、図７について上述したと同様の効果を得ることができることに加えて左側及び右側のシートベルトをそれぞれ分割ソケット挿通孔２６Ａ及び２６Ｂから表面側に引き出したソケットに締結することにより、座席カバーシート１Ｙを装着した複数人掛座席に人が座って自動車を走行させることができ、かくして、ペットを当該複数人掛座席に乗せて自動車を走行させても、複数人掛座席に対するペットの汚れを有効に防止できる。
【００５１】
図９（Ｄ）の場合は、図９（Ｂ）との対応部分に同一符号を付して示すように、図９（Ｂ）のシートベルト用ソケット挿通孔２６に代えて、上下方向に延長するシートベルト用ソケット挿通スリット２７を設ける。
【００５２】
図９（Ｄ）の構成によれば、シートベルト用ソケット挿通スリット２７からシートベルト用ソケットを表面に引き出すことができることにより、図９（Ｂ）について上述したと同様の作用効果を得ることができる。
【００５３】
図９（Ｅ）の場合は、図９（Ｄ）との対応部分に同一符号を付して示すように、図９（Ｄ）のシートベルト用ソケットスリット２７に代えて分割シートベルト用ソケット挿通スリット２７Ａ及び２７Ｂを上下方向に設けた構成を有する。
【００５４】
図９（Ｅ）の構成によれば、左及び右シートベルト用ソケットをそれぞれ分割シートベルト用挿通スリット２７Ａ及び２７Ｂを通して表側に引き出すことにより、図９（Ｄ）について上述したと同様の作用効果を得ることができる。
【００５５】
（７）第７の実施の形態
図１０（Ａ）〜（Ｆ）は第７の実施の形態を示すもので、図７及び図９（Ａ）〜（Ｅ）との対応部分に同一符号を付して示す。
【００５６】
この場合、座席カバーシート１Ｙを装着すべき複数人掛座席は、頭部の中央部分に凹所を形成しており、これに対応するように座席カバーシート１Ｙの袋形成部４Ｙは、左及び右側部４ＹＡ及び４ＹＢをそのまま残すと共に、中央部分において左及び右側部４ＹＡ及び４ＹＢ間を切込み部４ＹＣによって連接するようになされている。
【００５７】
図１０（Ａ）〜（Ｆ）によれば、図７及び図９（Ａ）〜（Ｅ）について上述したと同様の効果を得ることができると共に、複数人掛座席の頭部の形状に適合するように袋形成部４Ｙの外形形状を選定したことにより、ユーザが座席カバーシート１Ｙを複数人掛座席に装着したとき、無理なく複数人掛座席に適合するように座席カバーシート１Ｙを座席全体に被せることができる。従って例えば人やペットが乗った状態で自動車を走行させるような場合においても、座席カバーシート１Ｙが座席からずれたり、しわになったりする可能性を低くすることができることにより、座席への汚れを有効に防止することができる。
【００５８】
（８）第８の実施の形態
図１１（Ａ）〜（Ｆ）は、第８の実施の形態を示すもので、図７及び図９（Ａ）〜（Ｅ）との対応部分に同一符号を付して示す。
【００５９】
この場合、複数人掛座席である自動車の後部座席の中央部分を自動車の駆動シャフトが前後に通る構成をもっており、これに対応すべく座席カバーシート１Ｙの下端部において、左及び右側部１ＹＡ及び１ＹＢを残してその間に切込み部１ＹＣを設けた形状を有する。
【００６０】
図１１（Ａ）及び（Ｂ）〜（Ｆ）の構成によれば、図７及び図９（Ａ）〜（Ｅ）について上述したと同様の効果を得ることができると共に、座席カバーシート１Ｙを座席に装着したとき、切込み部１ＹＣは駆動シャフト部分の盛り上がり部分に干渉することがないことにより、座席カバーシート１Ｙを座席に装着したとき座席カバーシート１Ｙが不用意にずれたり、しわになったりするおそれが生じさせることなく、当該駆動シャフトの構造に適応するように座席カバーシートを座席に被せることができ、かくして座席に対する汚れを有効に防止できる。
【００６１】
（９）第９の実施の形態
図１２（Ａ）〜（Ｆ）は、第９の実施の形態を示すもので、図１０（Ａ）〜（Ｆ）との対応部分に同一符号を付して示すように、図１０（Ａ）〜（Ｆ）において、袋形成部４Ｙの左及び右側部４ＹＡ及び４ＹＢの上端左及び右端部分にそれぞれ左及び右側切込み部４ＹＤ及び４ＹＥを形成したと同様の構成を有する。
【００６２】
図１２（Ａ）〜（Ｆ）の構成によれば、図１０（Ａ）〜（Ｆ）について上述したと同様の効果を得ることができることに加えて、複数人掛座席の頭部について、左及び右側部分を残して中央部分に凹所が形成され、かつ左及び右側部分の左及び右端部にもそれぞれ凹所が形成されているような形状の複数人掛座席に対して、ユーザが、袋形成部４Ｙを、切込み部４ＹＤ及び４ＹＥを有する左及び右側部４ＹＡ及び４ＹＢを当該座席の頭部に被せることにより、座席カバーシート１Ｙを座席の形状に適応させるように適正に装着できることにより、座席カバーシート１Ｙがずれたり、しわが生じたりするおそれを回避できる。
【００６３】
これにより、座席に対する汚れを有効に防止できる。
【００６４】
（１０）第１０の実施の形態
図１３（Ａ）〜（Ｆ）は第１０の実施の形態を示すもので、図７及び図９（Ａ）〜（Ｅ）との対応部分に同一符号を付して示すように、袋形成部４Ｙの左及び右側部４ＹＡ及び４ＹＢと中央部４ＹＦとの間に、それぞれ切込み部４ＹＣ１及び４ＹＣ２を形成した構成を有する。
【００６５】
図１３（Ａ）〜（Ｆ）の座席カバーシート１Ｙを装着すべき複数人掛座席は、その頭部の右端部及び左端部と、中央部との間にそれぞれ凹所が形成されており、かくしてユーザが座席カバーシート１Ｙを被せたとき、袋形成部４の左及び右側部４ＹＡ及び４ＹＢと中央部４ＹＦがそれぞれ座席の頭部に適合するように被せることができる。
【００６６】
かくして図１３（Ａ）〜（Ｆ）の構成によれば、図７及び図９（Ａ）〜（Ｅ）について上述したと同様の効果を得ることができると共に、座席の頭部の形状に適合するように座席カバーシート１Ｙを装着することができることにより、座席に対して座席カバーシート１Ｙがずれたり、しわになったりするおそれを有効に回避できることにより、確実に座席に対する汚れを有効に防止することができる。
【００６７】
（１１）第１１の実施の形態
図１４（Ａ）〜（Ｆ）は第１１の実施の形態を示すもので、それぞれ図１、図４、図５（Ａ）〜（Ｃ）及び図６との対応部分に同一符号を付して示す。
【００６８】
図１４（Ａ）及び図１４（Ｃ）〜（Ｅ）の座席カバーシート１は図１及び図５（Ａ）〜（Ｃ）において袋形成部４の左上隅部及び右上隅部の三角形状部分を切り取って傾斜面３１Ａ及び３１Ｂを形成した構成を有する。
【００６９】
また、図１４（Ｃ）〜（Ｅ）において、傾斜面３１Ａ及び３１Ｂには、シートベルト挿通孔２５Ａ及び２５Ｂを形成する。
【００７０】
さらに、図１４（Ｂ）及び図１４（Ｆ）の場合は、図４及び図６において左上隅及び右上隅の三角形状部と、左下隅及び右下隅の三角形状部とを切り取って傾斜面３１Ａ及び３１Ｂ並びに３１Ｃ及び３１Ｄを形成したと同様の構成を有する。
【００７１】
さらに、図１４（Ｆ）の場合は、傾斜部３１Ａ及び３１Ｂ並びに３１Ｃ及び３１Ｄにそれぞれシートベルト挿通孔２６Ａ及び２６Ｂ並びに２６Ｃ及び２６Ｄを形成する。
【００７２】
図１４（Ａ）〜（Ｆ）の構成によれば、座席カバーシート１の袋形成部４又は４Ｘを１人掛用座席の頭部に被せることにより当該座席カバーシートを座席に装着したとき、傾斜面３１Ａ及び３１Ｂ、又は３１Ｃ及び３１Ｄの部分に三角形状の部分が残っている場合と比較して、当該三角形状部分がない分自動車を運転する運転者が後方を見る際の視野の邪魔にならないようにできる。
【００７３】
（１２）第１２の実施の形態
図１５（Ａ）〜（Ｆ）は第１２の実施の形態を示すもので、図１４（Ａ）〜（Ｆ）との対応部分に同一符号を付して示すように、図１４（Ａ）〜（Ｆ）においては、座席カバーシート１の隅の三角形状部分を切り取るような構成をもつことに代え、座席カバーシート１の上端縁に全体として楕円形状面３２Ａを形成し（図１５（Ａ）及び（Ｃ）〜（Ｅ）の場合）、又は上端縁に加えて下端縁にも楕円形状面３２Ｂを形成する（図１５（Ｂ）及び（Ｆ）の場合）。
【００７４】
さらに、図１５（Ｃ）〜（Ｄ）の場合には、楕円形状面３２Ａにそれぞれシートベルト挿通孔２５Ａ及び２５Ｂを形成し、図１５（Ｆ）の場合には楕円形状面３２Ａ並びに３２Ｂにそれぞれシートベルト挿通孔２６Ａ及び２６Ｂ並びに２６Ｃ及び２６Ｄを形成する。
【００７５】
図１５（Ａ）〜（Ｆ）の構成によれば、座席カバーシート１及び２１が１人掛座席に装着されたとき、当該座席カバーシート１及び２１の上側の端部が楕円形状になっていることにより、座席の頭部の左右両端位置において外側に突出するような部分がないことにより、運転者が後方を見たときその視野を座席カバーシート１及び２１が妨げるおそれを有効に回避できる。
【００７６】
（１３）第１３の実施の形態
図１６（Ａ）〜（Ｆ）は、第１３の実施の形態を示すもので、図１、図４、図５（Ａ）〜（Ｃ）及び図６との対応部分に同一符号を付して示す。
【００７７】
図１６（Ａ）及び図１６（Ｃ）〜（Ｅ）の場合、図１及び図５（Ａ）〜（Ｃ）において、座席カバーシート１の袋形成部４の上端中央部に座席頭部挿通用開口３５Ａを形成したと同様の構成を有する。
【００７８】
また図１６（Ｂ）及び（Ｆ）の場合は、図４及び図６において袋形成部４及び４Ｘの上端中央部及び下端中央部にそれぞれ座席頭部挿通用開口３５Ａ及び３５Ｂを形成する。
【００７９】
図１６（Ａ）〜（Ｆ）によれば、座席カバーシート１及び２１の袋形成部４又は４Ｘを１人掛座席の頭部に被せたとき、当該座席の頭部を座席頭部挿通用開口３５Ａ又は３５Ｂから上方に突出させることができることにより、座席カバーシート１及び２１を当該頭部に邪魔されることなく座席の形状に適合するように被せることができ、かくして座席カバーシート２１が不用意にずれたりしわになったりするおそれを有効に回避できることによりシートに対する汚れを確実に防止できる。
【００８０】
この場合、表布地部２の長さは、頭部が座席頭部挿通用開口３５Ａから上方に突出した高さに対応した分短く（実際上15〜20〔ｃｍ〕程度）なるように選定され、これにより表布地部２の下端縁が床面に届く直前の状態になるようになされている。
【００８１】
（１４）第１４の実施の形態
図１７（Ａ）〜（Ｆ）、図１８（Ａ）〜（Ｆ）及び図１９（Ａ）〜（Ｅ）は、第１４の実施の形態を示す。
【００８２】
図１７（Ａ）〜（Ｆ）の場合、図７及び図９（Ａ）〜（Ｅ）との対応部分に同一符号を付して示すように、図７及び図９（Ａ）〜（Ｅ）において袋形成部４Ｙの左上隅及び右上隅に形成されている三角形状部分を切り取って傾斜面３７Ａ及び３７Ｂを形成したと同様の構成を有する。
【００８３】
また図１７（Ｂ）の場合は、傾斜面３７Ａ及び３７Ｂにシートベルト挿通孔２５ＡＹ及び２５ＢＹを形成する。
【００８４】
図１８（Ａ）〜（Ｆ）の場合は、図１０（Ａ）〜（Ｆ）との対応部分に同一符号を付して示すように、袋形成部４Ｙの左及び右側部４ＹＡ及び４ＹＢの左上隅及び右上隅に形成されている三角形状部分を切り取って傾斜面３７Ａ及び３７Ｂを形成した同様の構成を有する。
【００８５】
また図１８（Ｂ）の場合、当該傾斜面３７Ａ及び３７Ｂにシートベルト挿通孔２５ＡＹ及び２５ＢＹを形成する。
【００８６】
図１８（Ａ）〜（Ｆ）の構成によれば、図１０（Ａ）〜（Ｆ）について上述したと同様の効果を得ることができると共に、傾斜面３７Ａ及び３７Ｂを形成したことにより、運転者が後方を見たとき、座席カバーシート１Ｙの左及び右端部が傾斜面３７Ａ及び３７Ｂのように不必要に外方に突出していないことにより、座席カバーシート１Ｙが運転者の視野の邪魔にならないようにすることができる。
【００８７】
図１９（Ａ）〜（Ｆ）の場合は、図１８（Ａ）〜（Ｆ）との対応部分に同一符号を付して示すように、図１８（Ａ）〜（Ｆ）において、袋形成部４Ｙの左及び右側部４ＹＡ及び４ＹＢの中央部の切込み部４ＹＣに連接する部分に、傾斜面３７Ｃ及び３７Ｄが形成されている。
【００８８】
図１９（Ａ）〜（Ｆ）の構成によれば、左及び右側部４ＹＡ及び４ＹＢの内側部分を傾斜面３７Ｃ及び３７Ｄを介して切込み部４ＹＣに連接させるようにしたことにより、ユーザが袋形成部４Ｙを複数人掛座席に被せる際に、両端部位置に形成された傾斜面３７Ａ及び３７Ｂによって袋形成部４Ｙの両端部の位置が規制されるのに対して、内側に傾斜面３７Ｃ及び３７Ｄを形成したことにより、複数人掛座席の２つの頭部に対して比較的余裕をもって座席カバーシート１Ｙを座席上に位置決めすることができる。
【００８９】
かくして、比較的複雑な形状の複数人掛座席についても、座席カバーシート１Ｙを簡便に着脱することができる。
【００９０】
（１５）第１５の実施の形態
図２０（Ａ）〜（Ｆ）及び図２１（Ａ）〜（Ｆ）は第１５の実施の形態を示す。
【００９１】
図２０（Ａ）〜（Ｆ）の場合は、図７及び図９（Ａ）〜（Ｅ）との対応部分に同一符号を付して示すように、袋形成部４Ｙの上端の左側半部及び右側半部位置に座席頭部挿通用開口３８Ａ及び３８Ｂを形成する。
【００９２】
かくして、複数人掛座席の頭部について、左側半部及び右側半部に枕が上方に突出している場合に、当該上方に突出している左及び右枕を座席頭部挿通用開口３８Ａ及び３８Ｂを通して上方に突出させた状態で、袋形成部４Ｙを座席の頭部に被せるようにすれば、座席カバーシート１Ｙを当該枕の影響を受けずに座席の形状に適合することにより装着することができ、この結果座席カバーシート１Ｙが不必要にずれたり、しわがよったりするようなおそれを有効に回避することができる。
【００９３】
図２１（Ａ）〜（Ｆ）の場合は、図７及び図９（Ａ）〜（Ｅ）との対応部分に同一符号を付して示すように、袋形成部４Ｙの左側部分及び右側部分にその厚みを貫通するように座席頭部挿通用開口３８Ａ及び３８Ｂを設けると共に、当該座席頭部挿通用開口３８Ａ及び３８Ｂ間のほぼ中央位置に座席頭部挿通用開口３８Ｃを形成する。
【００９４】
図２１（Ａ）〜（Ｆ）の構成において、複数人掛座席の頭部について、その左側及び右側部分並びに中央部分に枕が上方に突出するように形成されているとき、当該枕を座席頭部挿通用開口３８Ａ、３８Ｂ及び３８Ｃを挿通させた状態で袋形成部４Ｙを当該座席の頭部に被せる。
【００９５】
このようにすれば、座席の枕の影響を受けることなく座席カバーシート１Ｙを座席の形状に適合するように座席カバーシート１Ｙを装着することができる。
【００９６】
その結果、枕があるために不必要に座席カバーシート１Ｙがずれたり、しわになったりするおそれがなくなることにより、座席に対する汚れを有効に防止することができる。
【００９７】
（１６）他の実施の形態
（ａ）上述の実施の形態の場合の座席カバーシート１及び２１は、袋形成部４及び４Ｘ並びに４Ｙを形成するために、表布地部２及び折返し布地部３、並びに表布地部２Ｙ及び折返し布地部３Ｙについて、その左及び右側縁を、それぞれ左側及び右側縫い目５Ｌ及び５Ｒ、並びに５ＬＹ及び５ＲＹによって縫い付けると共に、表布地部２及び折返し布地部３、並びに２Ｙ及び３Ｙの周囲をかがり糸目８Ｌ、８Ｒ、８Ｄ、並びに８ＬＸ、８ＬＹ及び８ＤＸによって縫い付けることによりほつれないようにしたが、かかる加工手法に代え、図２２及び図２３に示すように、熱圧着手法を用いるようにしても良い。
【００９８】
図２２及び図２３の場合、表布地部２（２Ｙ）と折返し布地部３（３Ｙ）とを左側熱圧着部４５Ｌ及び右側熱圧着部４５Ｒによって熱圧着することにより、開口７（７Ｙ）を有する袋形成部４（４Ｙ）を形成する。
【００９９】
この実施の形態の場合、これに加えて表布地部２（２Ｙ）の左及び右側縁並びに下端縁を、左側及び右側並びに下端かがり用熱圧着部４６Ｌ、４６Ｒ及び４６Ｄによって圧着処理すると共に、折返し布地部３Ｙの下端縁を下端かがり用熱圧着４６Ｕ（４６ＵＹ）を熱圧着処理することにより、全体として表布地部２（２Ｙ）及び折返し布地部３（３Ｙ）をほつれないように処理する。
【０１００】
図２２及び図２３のように、熱圧着手法によって袋形成部４（４Ｙ）の形成及びかがり処理をしても、上述の実施の形態のように、縫製処理をした場合と同様の作用効果を得ることができる。
【０１０１】
図２２及び図２３の場合には、圧着加工によって袋形成部４（４Ｙ）を形成したり表布地部２（２Ｙ）及び折返し布地部３（３Ｙ）の周縁のかがり処理をしたが、これに代え、図２４及び図２５に示すように、テープを縫い付けるいわゆるテープ加工をするようにしても、同様の効果を得ることができる。
【０１０２】
この実施の形態の場合、袋形成部４（４Ｙ）の左側縁及び右側縁において互いに重なり合っている表布地部２（２Ｙ）及び折返し布地部３（３Ｙ）の左及び右側縁を２つ折りにしたテープをの間に挟んで縫いつけ加工をすることにより左側テープ部４７Ｌ及び右側テープ４７Ｒを形成する。
【０１０３】
これに対して表布地部２（２Ｙ）の左及び右側縁並びに下端縁と、折返し布地部３（３Ｙ）の下端縁について、それぞれ２つ折りしたテープを縫い付けることにより左側及び右側かがり用テープ部４８Ｌ及び４８Ｒと、下端かがり用テープ部４８Ｄ及び４８Ｕを縫い付ける。
【０１０４】
（ｂ）図２６及び図２７は座席頭部挿通用開口３５Ａ（３８Ａ〜３８Ｃ）の端部の処理を仕方を示す。
【０１０５】
座席頭部挿通用開口３５Ａ（図１６（Ａ）〜（Ｆ））及び３８Ａ〜３８Ｃ（図２０（Ａ）〜（Ｆ）、図２１（Ａ）〜（Ｆ））が座席の頭部に上方に突出するように設けられた枕を挿通するために袋形成部４（４Ｙ）の上端部にその厚みを貫通するように形成されている。
【０１０６】
この座席頭部挿通用開口３５Ａ（３８Ａ〜３８Ｃ）を形成したとき、図２６に示すように、袋形成部４（４Ｙ）に切れ目を入れるだけで、他の処理をせずに使用することもできるし、図２７に示すように、袋形成部４（４Ｙ）に切れ目を入れたとき、座席頭部挿通用開口３５Ａ（３８Ａ〜３８Ｃ）の両端部に裂け止め用かがり糸目４０Ａ及び４０Ｂを縫い付ける。
【０１０７】
図２７のようにすれば、座席頭部挿通用開口３５Ａ（３８Ａ〜３８Ｃ）の補強ができる。
【０１０８】
（ｃ）上述の実施の形態の場合には、袋形成部４（４Ｙ）を構成する折返し布地部３（３Ｙ）の下端縁６（６Ｙ）を上端かがり糸目８Ｕ（８ＵＹ）によってかがることによりほつれないように加工したが、この上端かがり糸目８Ｕ（８ＵＹ）を省略しても良い。
【０１０９】
因に実際上座席カバーシート１（１Ｙ）の使用時、当該折返し布地部３（３Ｙ）の下端縁６（６Ｙ）のほつれはあまり激しくない場合もあるからである。
【０１１０】
（ｄ）上述の実施の形態においては、座席カバーシート１及びＩＹとしてポリプロピレン繊維でなる不織布を用いるようにしたが、これに代え、ポリエステル繊維でなる不織布を用いても良い。ポリエステル繊維は、強度が強く、濡れても強さは変わらず、シャキっとした手触りで、しわになり難く、水分をほとんど吸収しない特性をもっているので、上述の場合と同様の効果を得ることができる。
【０１１１】
（ｅ）上述の実施の形態においては、表布地部２又は２Ｙの上端部を裏側に折り返した折返し布地部３又は３Ｙを左及び右側縫目５Ｌ及び５Ｒ又は５ＬＹ及び５ＲＹで縫い合せることにより袋形成部４又は４Ｙを形成するようにしたが、これに代え、折返し布地部３又は３Ｙを表布地部２又は２Ｙの上端から切り離すと共に、重ね合せた表布地部２又は２Ｙと折返し布地部３又は３Ｙとを上端部において縫い合せるようにしても、上述の場合と同様の効果を得ることができる。
【産業上の利用可能性】
【０１１２】
本発明は、自動車のシートに対する汚れを防止する場合に利用できる。
【図面の簡単な説明】
【０１１３】
【図１】本発明による１人掛用座席に対する座席カバーシートの表側構造を示す正面図である。
【図２】図１の裏側構造を示す背面図である。
【図３】１人掛用座席に座席カバーシートを装着した状態を示す側面図である。
【図４】上下端部に袋形成部を有する第２の実施の形態の座席カバーシートを示す正面図である。
【図５Ａ】シートベルト挿通口を設けた第３の実施の形態を示す正面図である。
【図５Ｂ】シートベルト挿通口を設けた第３の実施の形態を示す正面図である。
【図５Ｃ】シートベルト挿通口を設けた第３の実施の形態を示す正面図である。
【図６】上下左右端部にシートベルト挿通口を有する第４の実施の形態を示す正面図である。
【図７】複数人掛座席用カバーシートについての第５の実施の形態の表側構造を示す正面図である。
【図８】図７の裏側構造を示す背面図である。
【図９Ａ】複数人掛座席用カバーシートについての第６の実施の形態を示す正面図である。
【図９Ｂ】複数人掛座席用カバーシートについての第６の実施の形態を示す正面図である。
【図９Ｃ】複数人掛座席用カバーシートについての第６の実施の形態を示す正面図である。
【図９Ｄ】複数人掛座席用カバーシートについての第６の実施の形態を示す正面図である。
【図９Ｅ】複数人掛座席用カバーシートについての第６の実施の形態を示す正面図である。
【図１０Ａ】複数人掛座席用カバーシートについての第７の実施の形態を示す正面図である。
【図１０Ｂ】複数人掛座席用カバーシートについての第７の実施の形態を示す正面図である。
【図１０Ｃ】複数人掛座席用カバーシートについての第７の実施の形態を示す正面図である。
【図１０Ｄ】複数人掛座席用カバーシートについての第７の実施の形態を示す正面図である。
【図１０Ｅ】複数人掛座席用カバーシートについての第７の実施の形態を示す正面図である。
【図１０Ｆ】複数人掛座席用カバーシートについての第７の実施の形態を示す正面図である。
【図１１Ａ】複数人掛座席用カバーシートについての第８の実施の形態を示す正面図である。
【図１１Ｂ】複数人掛座席用カバーシートについての第８の実施の形態を示す正面図である。
【図１１Ｃ】複数人掛座席用カバーシートについての第８の実施の形態を示す正面図である。
【図１１Ｄ】複数人掛座席用カバーシートについての第８の実施の形態を示す正面図である。
【図１１Ｅ】複数人掛座席用カバーシートについての第８の実施の形態を示す正面図である。
【図１１Ｆ】複数人掛座席用カバーシートについての第８の実施の形態を示す正面図である。
【図１２Ａ】複数人掛座席用カバーシートについての第９の実施の形態を示す正面図である。
【図１２Ｂ】複数人掛座席用カバーシートについての第９の実施の形態を示す正面図である。
【図１２Ｃ】複数人掛座席用カバーシートについての第９の実施の形態を示す正面図である。
【図１２Ｄ】複数人掛座席用カバーシートについての第９の実施の形態を示す正面図である。
【図１２Ｅ】複数人掛座席用カバーシートについての第９の実施の形態を示す正面図である。
【図１２Ｆ】複数人掛座席用カバーシートについての第９の実施の形態を示す正面図である。
【図１３Ａ】複数人掛座席用カバーシートについての第１０の実施の形態を示す正面図である。
【図１３Ｂ】複数人掛座席用カバーシートについての第１０の実施の形態を示す正面図である。
【図１３Ｃ】複数人掛座席用カバーシートについての第１０の実施の形態を示す正面図である。
【図１３Ｄ】複数人掛座席用カバーシートについての第１０の実施の形態を示す正面図である。
【図１３Ｅ】複数人掛座席用カバーシートについての第１０の実施の形態を示す正面図である。
【図１３Ｆ】複数人掛座席用カバーシートについての第１０の実施の形態を示す正面図である。
【図１４Ａ】１人掛座席用カバーシートについての第１１の実施の形態を示す正面図である。
【図１４Ｂ】１人掛座席用カバーシートについての第１１の実施の形態を示す正面図である。
【図１４Ｃ】１人掛座席用カバーシートについての第１１の実施の形態を示す正面図である。
【図１４Ｄ】１人掛座席用カバーシートについての第１１の実施の形態を示す正面図である。
【図１４Ｅ】１人掛座席用カバーシートについての第１１の実施の形態を示す正面図である。
【図１４Ｆ】１人掛座席用カバーシートについての第１１の実施の形態を示す正面図である。
【図１５Ａ】１人掛座席用カバーシートについての第１２の実施の形態を示す正面図である。
【図１５Ｂ】１人掛座席用カバーシートについての第１２の実施の形態を示す正面図である。
【図１５Ｃ】１人掛座席用カバーシートについての第１２の実施の形態を示す正面図である。
【図１５Ｄ】１人掛座席用カバーシートについての第１２の実施の形態を示す正面図である。
【図１５Ｅ】１人掛座席用カバーシートについての第１２の実施の形態を示す正面図である。
【図１５Ｆ】１人掛座席用カバーシートについての第１２の実施の形態を示す正面図である。
【図１６Ａ】１人掛座席用カバーシートについての第１３の実施の形態を示す正面図である。
【図１６Ｂ】１人掛座席用カバーシートについての第１３の実施の形態を示す正面図である。
【図１６Ｃ】１人掛座席用カバーシートについての第１３の実施の形態を示す正面図である。
【図１６Ｄ】１人掛座席用カバーシートについての第１３の実施の形態を示す正面図である。
【図１６Ｅ】１人掛座席用カバーシートについての第１３の実施の形態を示す正面図である。
【図１６Ｆ】１人掛座席用カバーシートについての第１３の実施の形態を示す正面図である。
【図１７Ａ】複数人掛座席用カバーシートについての第１４の実施の形態を示す正面図である。
【図１７Ｂ】複数人掛座席用カバーシートについての第１４の実施の形態を示す正面図である。
【図１７Ｃ】複数人掛座席用カバーシートについての第１４の実施の形態を示す正面図である。
【図１７Ｄ】複数人掛座席用カバーシートについての第１４の実施の形態を示す正面図である。
【図１７Ｅ】複数人掛座席用カバーシートについての第１４の実施の形態を示す正面図である。
【図１７Ｆ】複数人掛座席用カバーシートについての第１４の実施の形態を示す正面図である。
【図１８Ａ】複数人掛座席用カバーシートについての第１４の実施の形態を示す正面図である。
【図１８Ｂ】複数人掛座席用カバーシートについての第１４の実施の形態を示す正面図である。
【図１８Ｃ】複数人掛座席用カバーシートについての第１４の実施の形態を示す正面図である。
【図１８Ｄ】複数人掛座席用カバーシートについての第１４の実施の形態を示す正面図である。
【図１８Ｅ】複数人掛座席用カバーシートについての第１４の実施の形態を示す正面図である。
【図１８Ｆ】複数人掛座席用カバーシートについての第１４の実施の形態を示す正面図である。
【図１９Ａ】複数人掛座席用カバーシートについての第１４の実施の形態を示す正面図である。
【図１９Ｂ】複数人掛座席用カバーシートについての第１４の実施の形態を示す正面図である。
【図１９Ｃ】複数人掛座席用カバーシートについての第１４の実施の形態を示す正面図である。
【図１９Ｄ】複数人掛座席用カバーシートについての第１４の実施の形態を示す正面図である。
【図１９Ｅ】複数人掛座席用カバーシートについての第１４の実施の形態を示す正面図である。
【図１９Ｆ】複数人掛座席用カバーシートについての第１４の実施の形態を示す正面図である。
【図２０Ａ】複数人掛座席用カバーシートについての第１５の実施の形態を示す正面図である。
【図２０Ｂ】複数人掛座席用カバーシートについての第１５の実施の形態を示す正面図である。
【図２０Ｃ】複数人掛座席用カバーシートについての第１５の実施の形態を示す正面図である。
【図２０Ｄ】複数人掛座席用カバーシートについての第１５の実施の形態を示す正面図である。
【図２０Ｅ】複数人掛座席用カバーシートについての第１５の実施の形態を示す正面図である。
【図２０Ｆ】複数人掛座席用カバーシートについての第１５の実施の形態を示す正面図である。
【図２１Ａ】複数人掛座席用カバーシートについての第１５の実施の形態を示す正面図である。
【図２１Ｂ】複数人掛座席用カバーシートについての第１５の実施の形態を示す正面図である。
【図２１Ｃ】複数人掛座席用カバーシートについての第１５の実施の形態を示す正面図である。
【図２１Ｄ】複数人掛座席用カバーシートについての第１５の実施の形態を示す正面図である。
【図２１Ｅ】複数人掛座席用カバーシートについての第１５の実施の形態を示す正面図である。
【図２１Ｆ】複数人掛座席用カバーシートについての第１５の実施の形態を示す正面図である。
【図２２】他の実施の形態の座席カバーシートの表側構造を示す正面図である。
【図２３】図２２の裏側構造を示す背面図である。
【図２４】さらに他の実施の形態の座席カバーシートの表面構造を示す正面図である。
【図２５】図２４の裏側構造を示す背面図である。
【図２６】座席頭部挿通用開口の説明に供する部分的拡大正面図である。
【図２７】座席頭部挿通用開口の説明に供する部分的拡大正面図である。
【符号の説明】
【０１１４】
１、１Ｙ……座席カバーシート、２、２Ｙ……表布地部、３、３Ｙ……折返し布地部、４、４Ｙ……袋形成部、５Ｌ、５ＬＹ……左側縫目、５Ｒ、５ＲＹ……右側縫目、６、６Ｙ……下端縁、７、７Ｙ……開口、８Ｌ、８ＬＹ……左側かがり糸目、８Ｒ、８ＲＹ……右側かがり糸目、８Ｄ、８ＤＹ、８Ｕ、８ＵＹ……下端かがり糸目、１１……床、１２……取付台、１３……座席、１４……背もたれ部、１５……頭部、１６……座席本体部、２５Ａ〜２５Ｄ、２６Ａ〜２６Ｄ……シートベルト挿通孔、２６……シートベルト用ソケット挿通孔、２６Ａ、２６Ｄ……分割ソケット挿通孔、２７……シートベルト用ソケット挿通スリット、２７Ａ、２７Ｂ……分割シートベルト用ソケット挿通スリット、３１Ａ、３１Ｂ……傾斜面、３２Ａ、３２Ｂ……楕円形状面、３５Ａ、３５Ｂ……座席頭部挿通用開口。
【図１】
2005253668.tif 000003
【図２】
2005253668.tif 000004
【図３】
2005253668.tif 000005
【図４】
2005253668.tif 000006
【図５Ａ】
2005253668.tif 000007
【図５Ｂ】
2005253668.tif 000008
【図５Ｃ】
2005253668.tif 000009
【図６】
2005253668.tif 000010
【図７】
2005253668.tif 000011
【図８】
2005253668.tif 000012
【図９Ａ】
2005253668.tif 000013
【図９Ｂ】
2005253668.tif 000014
【図９Ｃ】
2005253668.tif 000015
【図９Ｄ】
2005253668.tif 000016
【図９Ｅ】
2005253668.tif 000017
【図１０Ａ】
2005253668.tif 000018
【図１０Ｂ】
2005253668.tif 000019
【図１０Ｃ】
2005253668.tif 000020
【図１０Ｄ】
2005253668.tif 000021
【図１０Ｅ】
2005253668.tif 000022
【図１０Ｆ】
2005253668.tif 000023
【図１１Ａ】
2005253668.tif 000024
【図１１Ｂ】
2005253668.tif 000025
【図１１Ｃ】
2005253668.tif 000026
【図１１Ｄ】
2005253668.tif 000027
【図１１Ｅ】
2005253668.tif 000028
【図１１Ｆ】
2005253668.tif 000029
【図１２Ａ】
2005253668.tif 000030
【図１２Ｂ】
2005253668.tif 000031
【図１２Ｃ】
2005253668.tif 000032
【図１２Ｄ】
2005253668.tif 000033
【図１２Ｅ】
2005253668.tif 000034
【図１２Ｆ】
2005253668.tif 000035
【図１３Ａ】
2005253668.tif 000036
【図１３Ｂ】
2005253668.tif 000037
【図１３Ｃ】
2005253668.tif 000038
【図１３Ｄ】
2005253668.tif 000039
【図１３Ｅ】
2005253668.tif 000040
【図１３Ｆ】
2005253668.tif 000041
【図１４Ａ】
2005253668.tif 000042
【図１４Ｂ】
2005253668.tif 000043
【図１４Ｃ】
2005253668.tif 000044
【図１４Ｄ】
2005253668.tif 000045
【図１４Ｅ】
2005253668.tif 000046
【図１４Ｆ】
2005253668.tif 000047
【図１５Ａ】
2005253668.tif 000048
【図１５Ｂ】
2005253668.tif 000049
【図１５Ｃ】
2005253668.tif 000050
【図１５Ｄ】
2005253668.tif 000051
【図１５Ｅ】
2005253668.tif 000052
【図１５Ｆ】
2005253668.tif 000053
【図１６Ａ】
2005253668.tif 000054
【図１６Ｂ】
2005253668.tif 000055
【図１６Ｃ】
2005253668.tif 000056
【図１６Ｄ】
2005253668.tif 000057
【図１６Ｅ】
2005253668.tif 000058
【図１６Ｆ】
2005253668.tif 000059
【図１７Ａ】
2005253668.tif 000060
【図１７Ｂ】
2005253668.tif 000061
【図１７Ｃ】
2005253668.tif 000062
【図１７Ｄ】
2005253668.tif 000063
【図１７Ｅ】
2005253668.tif 000064
【図１７Ｆ】
2005253668.tif 000065
【図１８Ａ】
2005253668.tif 000066
【図１８Ｂ】
2005253668.tif 000067
【図１８Ｃ】
2005253668.tif 000068
【図１８Ｄ】
2005253668.tif 000069
【図１８Ｅ】
2005253668.tif 000070
【図１８Ｆ】
2005253668.tif 000071
【図１９Ａ】
2005253668.tif 000072
【図１９Ｂ】
2005253668.tif 000073
【図１９Ｃ】
2005253668.tif 000074
【図１９Ｄ】
2005253668.tif 000075
【図１９Ｅ】
2005253668.tif 000076
【図１９Ｆ】
2005253668.tif 000077
【図２０Ａ】
2005253668.tif 000078
【図２０Ｂ】
2005253668.tif 000079
【図２０Ｃ】
2005253668.tif 000080
【図２０Ｄ】
2005253668.tif 000081
【図２０Ｅ】
2005253668.tif 000082
【図２０Ｆ】
2005253668.tif 000083
【図２１Ａ】
2005253668.tif 000084
【図２１Ｂ】
2005253668.tif 000085
【図２１Ｃ】
2005253668.tif 000086
【図２１Ｄ】
2005253668.tif 000087
【図２１Ｅ】
2005253668.tif 000088
【図２１Ｆ】
2005253668.tif 000089
【図２２】
2005253668.tif 000090
【図２３】
2005253668.tif 000091
【図２４】
2005253668.tif 000092
【図２５】
2005253668.tif 000093
【図２６】
2005253668.tif 000094
【図２７】
2005253668.tif 000095